(57)【要約】【課題】後軸に対して前軸を回動して軸筒内の筆記体の筆記先端を突出させる際に、後軸を回し過ぎることなく回動操作を行うことができる構造の回転操作式多芯筆記具を得る。【解決手段】カム斜面１２ｄの先端に設けた係止凹部１２ｅの両側に軸心に直交する平地部１２ｆを形成し、カム斜面１２ｄの後端から軸心に直交する方向へ延出した平坦縁１２ｇを形成し、平坦縁１２ｇに前方へ突出する二つの山形状の膨出部１２ｈを形成すると共に該膨出部の間に軸心に直交する平坦部１２ｉを形成し、且つ係止凹部１２ｅの底部１２１ｅから平地部１２ｆまでの高さＨ１より平坦部１２ｉから山形状の膨出部１２ｈの頂部１２ｊまでの高さＨ２を高く形成する。【選択図】図３
2015051573.tif 000002
【特許請求の範囲】
【請求項１】
軸筒が、前軸と後軸とを備え、前記前軸を前記後軸に対して回動して、前記後軸内のカム斜面を有するカム部により前記軸筒内に収容された複数の筆記体の各々に装着した摺動体の一つを前進させ、前記カム斜面の先端に設けた係止凹部に、前記摺動体に設けたカム係止突起の後端頂部を前記軸筒内に配した弾発体の弾発力で係止させることにより、前記筆記体の筆記先端を前記前軸の先端開口から突出させた状態で維持する構造の回転操作式多芯筆記具であって、
前記カム斜面の先端に設けた係止凹部の両側に軸心に直交する平地部を形成し、前記カム部における前記カム斜面の後端から軸心に直交する方向へ延出した平坦縁を形成し、前記平坦縁に前方へ突出する二つの山形状の膨出部を形成すると共に該膨出部の間に軸心に直交する平坦部を形成し、且つ前記係止凹部の底部から前記平地部までの高さより前記平坦部から前記山形状の膨出部の頂部までの高さを高く形成し、一つの摺動体のカム係止突起の後端頂部が前記カム斜面の先端の係止凹部に係止した状態で、他の摺動体のカム係止突起の後端頂部が前記二つの山形状の膨出部の間の平坦部の中央に前記軸筒内に配した弾発体により弾発されて位置する構造の回転操作式多芯筆記具。
【発明の詳細な説明】
【技術分野】
【０００１】
本発明は、前軸と後軸とを有し、後軸に対して前軸を回動させることにより、後軸内に設けたカム斜面を有するカム部にて、軸筒内に収容した筆記体の筆記先端を前軸の先端開口から突出させる構造の回転操作式多芯筆記具に関する。
【背景技術】
【０００２】
回転操作式多芯筆記具の一例として、先行文献１（特開２０１２−２２３９６４号公報）に見られるような軸筒内に複数の筆記体を収容した構造がある。
【０００３】
一般的な回転操作式多芯筆記具では、後軸に対して前軸を回動することで、筆記体の後方に配設した摺体体のカム係止突起を、後軸内に設けたカム部のカム斜面で前進させながらカム斜面の先端に設けた係止凹部へ係止させ、当該筆記体の筆記先端を前軸の先端開口から突出した状態で維持することができる構造になっている。しかしながら、後軸に対して前軸を回し過ぎた場合には、カム斜面を摺動したカム係止突起がカム部の係止凹部を越えてしまうことから、使用者が慎重に回動を行わなければならなかった。
【先行技術文献】
【特許文献】
【０００４】
【特許文献１】特開２０１２−２２３９６４号公報
【発明の概要】
【発明が解決しようとする課題】
【０００５】
本発明では、後軸に対して前軸を回動して軸筒内の筆記体の筆記先端を突出させる際に、後軸を回し過ぎることなく回動操作を行うことができる構造の回転操作式多芯筆記具を得ることを目的とする。
【課題を解決するための手段】
【０００６】
本発明は、
「軸筒が、前軸と後軸とを備え、前記前軸を前記後軸に対して回動して、前記後軸内のカム斜面を有するカム部により前記軸筒内に収容された複数の筆記体の各々に装着した摺動体の一つを前進させ、前記カム斜面の先端に設けた係止凹部に、前記摺動体に設けたカム係止突起の後端頂部を前記軸筒内に配した弾発体の弾発力で係止させることにより、前記筆記体の筆記先端を前記前軸の先端開口から突出させた状態で維持する構造の回転操作式多芯筆記具であって、
前記カム斜面の先端に設けた係止凹部の両側に軸心に直交する平地部を形成し、前記カム部における前記カム斜面の後端から軸心に直交する方向へ延出した平坦縁を形成し、前記平坦縁に前方へ突出する二つの山形状の膨出部を形成すると共に該膨出部の間に軸心に直交する平坦部を形成し、且つ前記係止凹部の底部から前記平地部までの高さより前記平坦部から前記山形状の膨出部の頂部までの高さを高く形成し、一つの摺動体のカム係止突起の後端頂部が前記カム斜面の先端の係止凹部に係止した状態で、他の摺動体のカム係止突起の後端頂部が前記二つの山形状の膨出部の間の平坦部の中央に前記軸筒内に配した弾発体により弾発されて位置する構造の回転操作式多芯筆記具。」である。
【発明の効果】
【０００７】
本発明では、一つの摺動体のカム係止突起の後端頂部がカム斜面の先端の係止凹部に係止した状態で、他の摺動体のカム係止突起の後端頂部が二つの山形状の膨出部の間の平坦部の中央に位置するようにしたので、後軸に対して前軸を回動した時には、一つの摺動体のカム係止突起がカム斜面の先端の平地部を乗り越えて、弾発体の弾発力で係止凹部に係止される際の変化と、他の摺動体のカム係止突起が山形状の膨出部の頂部を乗り越えて、弾発体の弾発力で平坦部に入る際の変化とを使用者が感じ取ることができ、後軸に対する前軸の回し過ぎを防ぐことが行いやすいものとなる。
【０００８】
また、本発明では、一つの摺動体のカム係止突起の後端頂部がカム斜面の先端の係止凹部に係止した状態で、他の摺動体のカム係止突起の後端頂部が二つの山形状の膨出部の間の平坦部の中央に位置するようにしたので、カム斜面の先端に設けた係止凹部の底部と、二つの山形状の膨出部の間の平坦部とが、設計上の狙い通りの位置からずれて成形されてしまった場合においても、一つの摺動体のカム係止突起の後端頂部がカム斜面の先端の係止凹部に係止した状態で、他の摺動体のカム係止突起の後端頂部が二つの山形状の膨出部の間の平坦部の範囲内に位置することができるので、一つの摺動体のカム係止突起の後端頂部とカム斜面の先端の係止凹部との係止状態を妨げることがないものとなる。
【０００９】
また、本発明では、カム斜面の先端に設けた係止凹部の底部から平地部までの高さより、平坦部から二つの山形状の膨出部の頂部までの高さを高く形成したので、前軸を後軸に対して回動した際、一つの摺動体のカム係止突起がカム斜面の先端の係止凹部を少し越えてしまうような時にも、他の摺動体のカム係止突起が二つの山形状の膨出部の内側にある傾斜面に位置していることから、他の摺動体のカム係止突起が弾発体の弾発力で山形状の膨出部の傾斜面を下ることによって、前記一つの摺動体のカム係止突起をカム斜面の先端の係止凹部に係止させることができる。尚、本発明では、カム斜面の先端に設けた係止凹部の両側に平地部を設けてあり、一つの摺動体のカム係止突起の後端頂部が係止凹部の両側の平地部の位置にある時には、他の摺動体のカム係止突起が弾発体の弾発力により、二つの山形状の膨出部の内側にある傾斜面を下ることで、前記一つの摺動体のカム係止突起の後端頂部をカム斜面の先端に設けた係止凹部に係止させる向きの力を働かせることができる。
【００１０】
以上のことから、本発明により、後軸に対して前軸を回動して軸筒内の筆記体の筆記先端を突出させる際に、後軸を回し過ぎることなく回動操作を行うことができる構造の回転操作式多芯筆記具を得ることができた。
【図面の簡単な説明】
【００１１】
【図１】図１は、本実施例の回転操作式多芯筆記具の縦断面図である。
【図２】図２は、ボールペン体の筆記先端を先端開口から突出させた状態のカム部とカム係止突起との位置関係を示す模式図である。
【図３】図３は、後軸に対して前軸を回動させている時のカム部とカム係止突起との位置関係を示す第一の模式図である。
【図４】図４は、後軸に対して前軸を回動させている時のカム部とカム係止突起との位置関係を示す第二の模式図である。
【発明を実施するための形態】
【００１２】
本発明の実施例を図面を用いて説明する。実施例において同じ部材、同じ箇所を示す場
合は同じ符号を付してある。本実施例の説明においては、筆記先端がある方を前方と表現し、その反対側を後方と表現する。
図１に示すように、本実施例の回転操作式多芯筆記具１は、前部軸部材２の前方に先口３を配した前軸４と、後部軸部材５の後方に尾冠６を配した後軸７とを備えた軸筒８の内部に、ボールペン体９とシャープペンシル体１０とを保持する二つの摺動溝１１ａを軸対称の位置に設けた摺動ケース１１と、カム部１２ａを設けたカム筒１２とを有し、一つの摺動溝１１ａに、カム係止突起１３ａを有する摺動体１３が装着されたボールペン体９を、コイルスプリング１４ａにより軸筒８の先端開口８ａと反対側の後方へ付勢して配し、他の摺動溝１１ａに、カム係止突起１５ａを有する摺動体１５が装着されたシャープペンシル体１０を、コイルスプリング１４ｂにより軸筒８の先端開口８ａと反対側の後方へ付勢して配している。
【００１３】
また、カム筒１２の後部に形成した雌螺子部１２ｂに接続部材１６の前部へ形成した前方雄螺子部１６ａを螺着し、接続部材１６の後部へ形成した後方雄螺子部１６ｂに尾冠６の前部へ形成した前方雌螺子部６ａを螺着してある。接続部材１６の中間部外周にはフランジ１６ｃを形成してあり、カム筒１２の雌螺子部１２ｂと接続部材１６の前方雄螺子部１６ａを螺合する際に、後部軸部材５に形成した内向きの鍔部５ａを挟持させて、後部軸部材５にカム筒１２を回転不能に固定してある。摺動ケース１１とカム筒１２とは、摺動ケース１１の上方に設けた小径部１１ｂの後方に鍔部１１ｃを形成し、鍔部１１ｃがカム筒１２の内面に形成した内向突起１２ｃを乗り越えるように圧入して、カム筒１２に対して摺動ケース１１を回転可能に接続してある。また、軸筒８は、摺動ケース１１に後方を後軸７に固定した連結筒１７の前方を前軸４に装着して、前軸４と後軸７とを連結してある。
【００１４】
図１を用いて、本実施例の回転操作式多芯筆記具の回動操作について簡単に説明を行うと、カム筒１２は、カム部１２ａのカム斜面１２ｄの先端に係止凹部１２ｅを形成してあり、摺動体１３のカム係止突起１３ａまたは摺動体１５のカム係止突起１５ａをカム斜面１２ｄに当接して、摺動ケース１１の回転に伴い、カム係止突起１３ａ，１５ａがカム筒１２のカム斜面１２ｄに沿って移動することで、摺動体１３を装着したボールペン体９の筆記先端９ａまたは摺動体１５を装着したシャープペンシル体１０の筆記先端１０ａの筆記先端１０ａを、軸筒８の先端開口８ａから出没できるようにしてあり、カム部１２ａの係止凹部１２ｅに摺動体１３のカム係止突起１３ａまたは摺動体１５のカム係止突起１５ａを係止させることで、コイルスプリング１４ａ，１４ｂを圧縮しながら、ボールペン体９の筆記先端９ａまたはシャープペンシル体１０の筆記先端１０ａを、軸筒８の先端開口８ａから突出した状態で維持させることができる。
【００１５】
次に、図２を用いて、本実施例のカム部と摺動体との関係について説明を行う。図２は、図１に示した軸筒８の先端開口８ａからボールペン体９の筆記先端９ａを突出させた状態のカム部１２ａと摺動体１３，１５の位置関係を示しており、ボールペン体９の後方に装着した摺動体１３のカム係止突起１３ａが、カム部１２ａのカム斜面１２ｄの先端に設けた係止凹部１２ｅに係止されて、ボールペン体９の筆記先端９ａが先端開口８ａから突出した状態で維持された状態になっている（図１参照）。
また、図２を用いてカム筒１２を詳述すると、カム部１２ａのカム斜面１２ｄの先端には係止凹部１２ｅを設けてあり、係止凹部１２ｅは後端にＶ字形状の底部１２１ｅを形成してある。また、係止凹部１２ｅの両側には、軸心に直交する平地部１２ｆを形成してあり、カム斜面１２ｄの後端からは、軸心に直交する方向へ延出した平坦縁１２ｇを形成してある。平坦縁１２ｇには、前方へ突出する二つの山形状の膨出部１２ｈを形成すると共に、二つの膨出部１２ｈの間には軸心に直交する平坦部１２ｉを形成してある。また、係止凹部１２ｅの底部１２１ｅから平地部１２ｆまでの高さＨ１より、平坦部１２ｉから山形状の膨出部の頂部１２ｊまでの高さＨ２を高く形成してある。
【００１６】
本実施例の回転操作式多芯筆記具１は、摺動体１３のカム係止突起１３ａの後方に尖頭形状に形成した後端頂部１３ｂが、カム斜面１２ｄの先端の係止凹部１２ｅに係止した状態で、摺動体１５のカム係止突起１５ａの後方に尖頭形状に形成した後端頂部１５ｂが、二つの山形状の膨出部１２ｈの間の平坦部１２ｇに位置するようにしたので、後軸７に対して前軸４を回動した時には、摺動体１３のカム係止突起１３ａがカム斜面１２ｄの先端の平地部１２ｆを乗り越えて、弾発体１４ａの弾発力で係止凹部１２ｅに係止される際の変化と、摺動体１５のカム係止突起１５ａが山形状の膨出部１２ｈを乗り越えて、弾発体１４ｂの弾発力で平坦部１２ｇに入る際の変化とを使用者が感じ取ることができ、後軸７に対する前軸４の回し過ぎを防ぐことができた。
【００１７】
また、本実施例では、摺動体１３のカム係止突起１３ａの後端頂部１３ｂがカム斜面１２ｄの先端の係止凹部１２ｅに係止した状態で、摺動体１５のカム係止突起１５ａの後端頂部１５ｂが二つの山形状の膨出部１２ｈの間の平坦部１２ｉの中央に位置するようにしたので、カム斜面１２ｄの先端に設けた係止凹部１２ｅのＶ字形状の底部１２１ｅ（０°の位置）と、二つの膨出部１２ｈの間の平坦部１２ｉの中心位置（１８０°の位置）とが、設計上の狙いの寸法からずれて成形されてしまった場合でも、摺動体１３のカム係止突起１３ａの後端頂部１３ｂがカム斜面１２ｄの先端の係止凹部１２ｅに係止した状態で、摺動体１５のカム係止突起１５ａの後端頂部１５ｂが二つの山形状の膨出部１２ｈの間の平坦部１２ｉの範囲内に位置するので、摺動体１３のカム係止突起１３ａの後端頂部１３ｂとカム斜面１２ｄの先端の係止凹部１２ｅとの係止状態を妨げることがなかった。
【００１８】
さらに、図３に示すように、カム斜面１２ｄの先端に設けた係止凹部１２ｅの底部１２１ｅから平地部１２ｆまでの高さＨ１より、平坦部１２ｉから二つの山形状の膨出部１２ｈの頂部１２ｊまでの高さＨ２を高く形成したので、前軸４を後軸７に対して回動した際、摺動体１３のカム係止突起１３ａがカム斜面１２ｄの先端の係止凹部１２ｅを越えてしまうような時でも、摺動体１５のカム係止突起１５ａが二つの山形状の膨出部１２ｈの内側にある傾斜面１２ｋに位置するので、摺動体１５のカム係止突起１５ａが弾発体１４ｂの弾発力で山形状の膨出部１２ｈの傾斜面１２ｋを下ることによって（矢印Ｓ１方向）、図１で示した摺動ケース１１により回転方向において摺動体１５と連動される摺動体１３に矢印Ｔ１方向の力が働いて、摺動体１３のカム係止突起１３ａをカム斜面１２ｄの先端の係止凹部１２ｅに係止させることができた。
また、図４に示すように、前軸４を後軸７に対して回動した際、摺動体１３のカム係止突起１３ａがカム斜面１２ｄの先端の係止凹部１２ｅまで達しないような時でも、摺動体１５のカム係止突起１５ａが二つの山形状の膨出部１２ｈの内側にある傾斜面１２ｋに位置するので、摺動体１５のカム係止突起１５ａが弾発体１４ｂの弾発力で山形状の膨出部１２ｈの傾斜面１２ｋを下ることによって（矢印Ｓ２方向）、図１で示した摺動ケース１１により回転方向において摺動体１５と連動する摺動体１３に矢印Ｔ２方向の力が働いて、摺動体１３のカム係止突起１３ａをカム斜面１２ｄの先端の係止凹部１２ｅに係止させることができた。
【符号の説明】
【００１９】
１…回転操作式多芯筆記具、
２…前部軸部材、２ａ…後端部、２ｂ…内面、
３…先口、４…前軸、
５…後部軸部材、５ａ…鍔部、
６…尾冠、６ａ…前方雌螺子部、７…後軸、
８…軸筒、８ａ…先端開口、
９…ボールペン体、９ａ…筆記先端、
１０…シャープペンシル体、１０ａ…筆記先端、
１１…摺動ケース、１１ａ…摺動溝、１１ｂ…小径部、
１１ｃ…鍔部、
１２…カム筒、１２ａ…カム部、１２ｂ…雌螺子部、
１２ｃ…内向突起、１２ｄ…カム斜面、
１２ｅ…係止凹部、１２１ｅ…底部、１２ｆ…平地部、
１２ｇ…平坦縁、１２ｈ…膨出部、１２ｉ…平坦部、
１３…摺動体、１３ａ…カム係止突起、１３ｂ…後端頂部、
１４ａ…コイルスプリング、１４ｂ…コイルスプリング、
１５…摺動体、１５ａ…カム係止突起、１５ｂ…後端頂部、
１６…接続部材、１６ａ…前方雄螺子部、１６ｂ…後方雄螺子部、
１６ｃ…フランジ、
１７…連結筒。
【図１】
2015051573.tif 000003
【図２】
2015051573.tif 000004
【図３】
2015051573.tif 000005
【図４】
2015051573.tif 000006